(57)【要約】【課題】封印機能を備え、剥離紙などの廃棄物を出さない封印配送ラベルを提供する。【解決手段】シート状基材２０と、シート状基材２０の片面に設けられた第１の粘着層２５と、シート状基材２０と、第１の粘着層２５を介して剥離可能に接着される第１の剥離基材３０と、第１の剥離基材３０の第１の粘着層２５とは反対の面に設けられた第２の粘着層３４と、第１の剥離基材３０と、第２の粘着層３４を介して剥離可能に接着される第２の剥離基材４０とを備え、第１の剥離基材３０を第２の剥離基材４０から剥がし、荷物１００の表面に貼り合わせるとともに、シート状基材２０を第１の剥離基材３０から剥がし、荷物１００の開閉部に封印するように貼り合わせる。【選択図】図１
2007240942.tif 000002
【特許請求の範囲】
【請求項１】
シート状基材と、
前記シート状基材の片面に設けられた第１の粘着層と、
前記シート状基材と、前記第１の粘着層を介して剥離可能に接着される第１の剥離基材と、
前記第１の剥離基材の前記第１の粘着層とは反対の面に設けられた第２の粘着層と、
前記第１の剥離基材と、前記第２の粘着層を介して剥離可能に接着される第２の剥離基材とを備え、
前記第１の剥離基材を前記第２の剥離基材から剥がし、荷物の表面に貼り合わせるとともに、
前記シート状基材を前記第１の剥離基材から剥がし、前記荷物の開閉部に封印するように貼り合わせること、
を特徴とする封印配送ラベル。
【請求項２】
請求項１に記載の封印配送ラベルにおいて、
前記シート状基材は、前記第１の粘着層とは反対の面に複数の情報表示部及び／又は機械読取部を備えること、
を特徴とする封印配送ラベル。
【請求項３】
請求項２に記載の封印配送ラベルにおいて、
前記シート状基材は、複数の前記情報表示部及び／又は機械読取部のそれぞれの間の少なくとも１箇所に分離線を備えること、
を特徴とする封印配送ラベル。
【請求項４】
請求項３に記載の封印配送ラベルにおいて、
前記分離線のうち少なくとも１本は、前記第１の剥離基材を前記シート状基材と共に分離すること、
を特徴とする封印配送ラベル。
【請求項５】
請求項１から請求項４までのいずれか１項に記載の封印配送ラベルにおいて、
前記第１及び／又は第２の剥離基材は、複数の情報表示部を備えること、
を特徴とする封印配送ラベル。
【請求項６】
請求項５に記載の封印配送ラベルにおいて、
前記第２の剥離基材は、複数の前記情報表示部のそれぞれ間の少なくとも１箇所に分離線を備えること、
を特徴とする封印配送ラベル。
【請求項７】
請求項１から請求項６までのいずれか１項に記載の封印配送ラベルにおいて、
前記第２の粘着層は、弱粘着剤又は再剥離再貼付可能な粘着剤であること、
を特徴とする封印配送ラベル。
【発明の詳細な説明】
【技術分野】
【０００１】
本発明は、封印した荷物の配送などに使用される封印配送ラベルに関するものである。
【背景技術】
【０００２】
機密文書は、これまでシュレッダー処理されることが一般的であったが、シュレッダーにより細断されると、用紙の繊維が短くなるので、リサイクルが困難となる。リサイクルという面では、用紙を細断せずに溶解してしまう手段もあるが、溶解する装置が大掛かりであり、また、メンテナンスなどに手間を要するので、一部の大企業を除いた一般の企業（中小企業）では、ほとんど採用されていない。
【０００３】
大企業の場合は排出する用紙そのものが多大なため、例えば、処理業者に委託して定期的に溶解させる場合もあるが、用紙の排出量が少量の中小企業では、溶解はシュレッダーに比べ大幅なコストアップになってしまい、また、少量であるがゆえに、手間のかかる溶解を用いるまでもないと考えられていることが多い。しかし、日本国内の９割以上の企業が中小企業であるので、１社ずつでは少量でも、全体としてみれば看過できないほどの量の用紙がリサイクルされない、又は、低次元なリサイクルにより処理されている可能性がある。
【０００４】
また一方で、個人情報保護法により、個人情報などの扱いに十分な注意が必要となってきており、機密文書などは使用が済んだら適切な方法で廃棄されることが求められてきている。この場合、社内でシュレッダーにより機密文書を処理したとしても客観性がなく、社会的な要請に十分に応えていない可能性があり、第三者機関により、確実に廃棄され、その廃棄の情報（いつ、どこで、誰が）を確認及び証明できることが要望されている。
【０００５】
この要望は、宅配システムを活用して容易に実現することができる。機密文書を含むリサイクルされる用紙を配送荷物とし、配送業者は処理業者が配送荷物を溶解するまでは封を切らずに保持し、溶解処理された段階で配送完了の処理を行なう。これにより、廃棄の情報が容易に確認及び証明することができる（例えば、特許文献１）。
特許文献１は、荷受人に荷物が届けられるまでに荷物の開閉部が開封されないように封印シールを設ける配送伝票であり、貴重品や上述したような機密文書を含む荷物の配送に適しているが、封印シールの剥離紙などの廃棄物が出てしまうなどの問題がある。
【特許文献１】特開２００６−０５１７６７号公報
【発明の開示】
【発明が解決しようとする課題】
【０００６】
本発明の課題は、封印機能を備え、剥離紙などの廃棄物を出さない封印配送ラベルを提供することである。
【課題を解決するための手段】
【０００７】
本発明は、以下のような解決手段により、前記課題を解決する。なお、理解を容易にするために、本発明の実施形態に対応する符号を括弧内に付して説明するが、これに限定されるものではない。
請求項１の発明は、シート状基材（２０）と、前記シート状基材（２０）の片面に設けられた第１の粘着層（２５）と、前記シート状基材（２０）と、前記第１の粘着層（２５）を介して剥離可能に接着される第１の剥離基材（３０）と、前記第１の剥離基材（３０）の前記第１の粘着層（２５）とは反対の面に設けられた第２の粘着層（３４）と、前記第１の剥離基材（３０）と、前記第２の粘着層（３４）を介して剥離可能に接着される第２の剥離基材（４０）とを備え、前記第１の剥離基材（３０）を前記第２の剥離基材（４０）から剥がし、荷物（１００）の表面に貼り合わせるとともに、前記シート状基材（２０）を前記第１の剥離基材（３０）から剥がし、前記荷物（１００）の開閉部に封印するように貼り合わせることを特徴とする封印配送ラベル（１０）である。
【０００８】
請求項２の発明は、請求項１に記載の封印配送ラベル（１０）において、前記シート状基材（２０）は、前記第１の粘着層（２５）とは反対の面に複数の情報表示部及び／又は機械読取部を備えることを特徴とする封印配送ラベル（１０）である。
【０００９】
請求項３の発明は、請求項２に記載の封印配送ラベル（１０）において、前記シート状基材（２０）は、複数の前記情報表示部及び／又は機械読取部のそれぞれの間の少なくとも１箇所に分離線（２６〜２８）を備えることを特徴とする封印配送ラベル（１０）である。
【００１０】
請求項４の発明は、請求項３に記載の封印配送ラベル（１０）において、前記分離線（２６〜２８）のうち少なくとも１本は、前記第１の剥離基材（３０）を前記シート状基材（２０）と共に分離することを特徴とする封印配送ラベル（１０）である。
【００１１】
請求項５の発明は、請求項１から請求項４までのいずれか１項に記載の封印配送ラベル（１０）において、前記第１及び／又は第２の剥離基材（３０、４０）は、複数の情報表示部を備えることを特徴とする封印配送ラベル（１０）である。
【００１２】
請求項６の発明は、請求項５に記載の封印配送ラベル（１０）において、前記第２の剥離基材（４０）は、複数の前記情報表示部のそれぞれ間の少なくとも１箇所に分離線（４３）を備えることを特徴とする封印配送ラベル（１０）である。
【００１３】
請求項７の発明は、請求項１から請求項６までのいずれか１項に記載の封印配送ラベル（１０）において、前記第２の粘着層（３４）は、弱粘着剤又は再剥離再貼付可能な粘着剤であることを特徴とする封印配送ラベル（１０）である。
【発明の効果】
【００１４】
以上説明したように、本発明によれば、以下のような効果がある。
（１）封印配送ラベルは、第１の粘着層を有したシート状基材を備えているので、容易に荷物の開閉部をシート状基材により封印することができる。
（２）シート状基材は、複数の情報表示部及び／又は機械読取部を備えているので、シート状基材の用途などの情報を表示し、また、バーコードなどの機械読取装置で効率よく管理することができる。
【００１５】
（３）シート状基材は、情報表示部及び／又は機械読取部の間に分離線を備えているので、必要に応じてシート状基材を分離させて使用することができる。
（４）シート状基材の分離線の少なくとも１本は、第１の剥離基材をシート状基材と共に分離するので、シート状基材の分離片と第１の剥離基材の分離片とを一体化させて分離することができる。
【００１６】
（５）第１及び／又は第２の剥離基材は、複数の情報表示部を備えているので、宛先、差出人などの情報を記載する欄を設けることができる。
（６）第２の剥離基材は、複数の情報表示部の間に分離線を設けているので、必要に応じて第２の剥離基材を分離することができる。
（７）第２の粘着層は、弱粘着剤又は再剥離再貼付可能な粘着剤であるので、容易に再剥離することができる。
【発明を実施するための最良の形態】
【００１７】
本発明は、封印機能を備え、剥離紙などの廃棄物を出さない封印配送ラベルを提供するという目的を、第１の粘着層を有したシート状基材に第１の剥離基材を貼り合わせ、第２の粘着層を有した第１の剥離基材に第２の剥離基材を貼り合わせることにより実現する。
【実施例１】
【００１８】
以下、図面等を参照して、本発明の実施例をあげて、さらに詳しく説明する。
図１は、本発明による実施例１の封印配送ラベルの詳細を示す図である。なお、図１（Ｂ）は、図１（Ａ）のＢ−Ｂ断面の模式図である。また、以下の説明文中の表面は、図１（Ａ）の紙面より手前の面を、裏面はその反対側の面を示す。
図２は、実施例１の封印配送ラベル１０が箱１００に貼り付けられるまでの使用方法を説明する図であり、図３は、実施例１の封印配送ラベル１０が箱１００に貼り付けられてから封印されるまでの使用方法を説明する図である。
【００１９】
箱１００は、機密文書を含んだリサイクル処理される複数枚の不要紙１２０を梱包するリサイクル専用の箱である（図３参照）。
伝票シール１１０は、表面に宛先、差出人の情報（配送情報）が印刷され、裏面に粘着層を備えている（図２参照）。
【００２０】
封印配送ラベル１０は、図１に示すように、シート状基材２０、剥離基材３０、及び、伝票基材４０と、各基材の間に第１の粘着層２５及び第２の粘着層３４を備えた箱１００をリサイクル業者へ配送するための配送伝票である。
シート状基材２０は、裏面に第１の粘着層２５を有した普通紙であり、第１の分離線２６、第２の分離線２７及び第３の分離線２８を挟んで第１の機械読取シート２２、封印シート２１、第２の機械読取シート２３、及び、第３の機械読取シート２４を備えている。
封印シート２１は、表面に機械読取用のバーコードを印刷した箱１００の開閉部を封印する封印シールである。
第１及び第２の機械読取シート２２、２３は、表面に機械読取用のバーコードを印刷した伝票管理用のシールである。
第３の機械読取シート２４は、表面に機械読取用の文字（ＯＣＲ文字）を印刷した伝票管理用のシールである。
【００２１】
第１の粘着層２５は、剥離不可能な強粘着剤である。
第１の分離線２６は、第１の機械読取シート２２及び封印シート２１の間に設けられ、シート状基材２０及び剥離基材３０を分離するハーフカットである。
第２の分離線２７は、封印シート２１及び第２の機械読取シート２３の間に設けられたハーフカットである。
第３の分離線２８は、第２の機械読取シート２３及び第３の機械読取シート２４の間に設けられ、シート状基材２０及び剥離基材３０を分離するハーフカットである。
【００２２】
剥離基材３０は、裏面に第２の粘着層３４を有した剥離紙であり、第１の分離線２６及び第３の分離線２８により、第１の剥離紙３１、第２の剥離紙３２、及び、第３の剥離紙３３に分離することができる。
第２の粘着層３４は、再剥離再貼付可能な粘着剤である。
伝票基材４０は、第４の分離線４３を挟んで依頼主控え票４１及び配送業者控え票４２を備えた普通紙であり、各票に伝票シール１１０を貼り付けることができる。
依頼主控え票４１は、表面に伝票シール１１０を貼り付けるラベル貼り付け欄を有した配送依頼人の控えである。
配送業者控え票４２は、表面に伝票シール１１０を貼り付けるラベル貼り付け欄及び認印の欄を有した配送業者の控えである。
第４の分離線４３は、伝票基材４０を依頼主控え票４１及び配送業者控え票４２に分離するハーフカットである。
【００２３】
次に、封印配送ラベルの使用方法について説明する。
配送業者は、依頼者から不要紙１２０のリサイクル処理の依頼がきたら、依頼者の情報、リサイクル処理業者などの配送情報を伝票シール１１０に印字し、印字内容と、封印配送ラベル１０に設けられた第１〜第３の機械読取シート（２２〜２４）のバーコード及びＯＣＲ文字との関連付けを行なう。
【００２４】
次に、図２（Ａ）にある封印配送ラベル１０を、図２（Ｂ）のように、第１の剥離紙３１から第２の機械読取シート２３を剥がし（矢印Ａ）、売り上げ台帳へ貼り付ける。続いて、依頼主控え票４１及び配送業者控え票４２を第１の剥離紙３１から剥がす（矢印Ｂ）。このときに、第３の機械読取シート２４及び第３の剥離紙３３は、第３の分離線２８により依頼主控え票４１と一体化した状態となり、同様にして、第１の機械読取シート２２及び第２の剥離紙３２は、第１の分離線２６により配送業者控え票４２と一体化した状態となり、各控え票にバーコード又はＯＣＲ文字を備えることができるので、配送経過の確認などが迅速に行なうことができる。次に、依頼主控え票４１及び配送業者控え票４２に、図２（Ｃ）に示すように、必要事項を印刷した伝票シール１１０を貼り付ける（矢印Ｃ）。
また、配送業者は、封印シート２１を伴った第１の剥離紙３１を、図３（Ａ）に示すように、箱１００の表面に貼り付け（矢印Ｄ）、依頼主控え票４１及び配送業者控え票４２と共に、依頼者へ渡す。
【００２５】
依頼者は、依頼主控え票４１を保管し、機密文書を含む不要紙１２０を、図３（Ｂ）のように、箱１００に入れて梱包する（矢印Ｅ）。続いて、箱１００の表面に貼られた第１の剥離紙３１から封印シート２１を剥がし、図３（Ｃ）のように、箱１００の開閉部を横切るようにして貼り付けて封印し（矢印Ｆ）、封印した箱１００と配送業者控え票４２とを配送人（ドライバー）へ渡す。封印シート２１を破らない限り、箱１００は開梱できないので、不要紙１２０に含まれる機密文書が第三者に見られることを防ぐことができる。
【００２６】
配送人は、箱１００及び封印シート２１を見て、配送荷物が不要紙１２０のリサイクル品であることを確認し、リサイクル処理業者へと配送する。リサイクル処理業者が、箱１００の不要紙１２０を間違いなく処理したことを確認したら、配送業者控え票４２に認印を貰い、伝票処理を行なう。
このように、リサイクル処理を終えた時点で配送伝票処理を行なうことにより、不要紙１２０のリサイクル処理が、いつ、どこで、誰によって行われたか、配送業者を介して容易に確認及び証明することが可能となる。また、１箱から依頼が可能であるので、会社だけでなく、一般家庭などの個人からも容易に利用することができる。
【００２７】
以上より、実施例１の封印配送ラベル１０には以下のような効果がある。
（１）封印配送ラベル１０は、第１の粘着層２５を有した封印シート２１を備えているので、容易に箱１００の開閉部を封印することができる。
（２）シート状基材２０は、第１〜第３の機械読取シート２２〜２４を備えているので、伝票シート１１０の配送情報を、第１〜第３の機械読取シートに認識させることができ、配送荷物を効率よく管理することができる。
（３）シート状基材２０は、第１の機械読取シート２２、封印シート２１、第２の機械読取シート２３、及び、第３の機械読取シート２４の間に第１〜第３の分離線２６〜２８を備えているので、必要に応じてシート状基材２０を分離させて使用することができる。
（４）シート状基材２０の第１及び第３の分離線２６、２８は、剥離基材３０をシート状基材２０と共に分離するので、第１の機械読取シート２２、第２の剥離紙３２及び配送業者控え票４２と、第３の機械読取シート２４、第３の剥離紙３３及び依頼主控え票４１とを、一体化させることができる。
（５）伝票基材４０は、ラベル貼り付け欄を備えているので、配送情報を印刷した伝票シール１１０を貼り付けることができる。
（６）伝票基材４０は、依頼主控え票４１及び配送業者控え票４２の間に第４の分離線４３を設けているので、依頼主控え票４１と配送業者控え票４２とを分離することができる。
（７）第２の粘着層３４は、再剥離再貼付可能な粘着剤であるので、伝票基材４０に剥離紙を用いなくても容易に再剥離することができる。
（８）第１の剥離紙３１は箱１００に貼られ、第２及び第３の剥離紙３２、３３は依頼主控え票４１及び配送業者控え票４２と一体化しているので、封印配送ラベル１０は、剥離紙などの不要な廃棄物を全く出さなくすることができる。
【００２８】
（変形例）
以上説明した実施例に限定されることなく、種々の変形や変更が可能であって、それらも本発明の均等の範囲内である。
（１）封印シート２１は、貼り替え防止機構を備えてもよい。例えば、封印シート２１にハーフカットを設けることにより、封印シート２１が箱１００から剥がされたときは、封印シート２１は、ハーフカットにより破れ、再び貼り付けることを不可能にすることができる。
（２）剥離基材３０は、情報表示部を備えてもよい。例えば、送付先が決まっている場合は、予め宛先を剥離基材３０の表面に印刷しておくことにより、貼付票の役割を果たすことも可能である。
（３）実施例１では、伝票基材４０の表面にラベル貼付欄及び認印欄が設けられていたが、裏面に設けていてもよい。これにより、封印配送ラベル１０を、図２（Ｂ）のように分離させる前に、伝票基材４０の表面にラベル貼付欄に伝票シール１１０を貼り付けることができる。
（４）実施例１では、依頼主控え票４１及び配送業者控え票４２は、伝票シール１１０を貼付したが、プリンタによる印字や手書きによる記入に対応できる記入欄を設けてもよい。
（５）実施例１では、第１及び第３の機械読取シート２２、２４は、依頼人控え票４１及び配送業者控え票４２と一体であったが、必要に応じて、他へ貼ることも可能である。例えば、配送業者控え票４２の第１の機械読取シート２２は、認印を受けた後の伝票処理時に剥がされ、伝票処理台帳に貼り付けることも可能である。
（６）実施例１では、シート状基材２０、剥離基材３０及び伝票基材４０はそれぞれ４分割、３分割及び２分割されたが、それ以外の枚数に分割されてもよい。
【図面の簡単な説明】
【００２９】
【図１】本発明による実施例１の封印配送ラベルの詳細を示す図である。
【図２】本発明による実施例１の封印配送ラベルが箱に貼り付けられるまでの使用方法を説明する図である。
【図３】本発明による実施例１の封印配送ラベルが箱に貼り付けられてから封印されるまでの使用方法を説明する図である。
【符号の説明】
【００３０】
１０  封印配送ラベル
２０  シート状基材
２１  封印シート
３０  剥離基材
４０  伝票基材
４１  依頼主控え票
４２  配送業者控え票
１００  箱
１１０  伝票シール
【図１】
2007240942.tif 000003
【図２】
2007240942.tif 000004
【図３】
2007240942.tif 000005